(57)【要約】【課題】個人情報を登録するメモリ手段の容量不足を解消でき、しかもユーザにとって便利な携帯無線通信装置を提供することを目的とする。【解決手段】個人情報はプライベートユニット２０に登録されており、電話機本体１０から個人情報要求信号をプライベートユニット２０にブルートゥースに従って無線送信すると（Ｔ４）、プライベートユニット２０は自局宛の個人情報要求であることを条件に（Ｔ５）、登録されている個人情報を読み出し（Ｔ７）、当該個人情報を電話機本体１０にブルートゥースに従って無線送信する（Ｔ８）。電話機本体１０は、当該受信された個人情報を記憶する（Ｔ１１）。この構成により、電話機本体１０のメモリサイズを小さくできる。【選択図】　　　　　図４
2004056508.tif 000002
【特許請求の範囲】
【請求項１】
携帯可能な装置本体ユニット及び携帯可能なプライベートユニットからなる携帯無線通信装置において、
上記装置本体ユニットは、上記個人情報の送信を要求する個人情報要求信号を所定の近距離無線通信プロトコルに従って上記プライベートユニットに無線送信する手段と、上記プライベートユニットから上記近距離無線通信プロトコルに従って受信した個人情報を記憶する本体メモリ手段と、この本体メモリ手段に記憶された個人情報に基づいて無線通信を実行する無線通信手段とを有し、
上記プライベートユニットは、個人情報を予め記憶するユニットメモリ手段と、上記個人情報要求信号を受信したことに応答して、上記ユニットメモリ手段に記憶されている個人情報を上記近距離無線通信プロトコルに従って上記装置本体ユニットに無線送信する個人情報送信手段とを有することを特徴とする携帯無線通信装置。
【請求項２】
上記装置本体ユニットは、個人情報読み出しのための認証情報を上記近距離無線通信プロトコルに従って上記プライベートユニットに無線送信する手段をさらに有し、
上記プライベートユニットは、予め定められた個人情報読み出しのための認証情報を登録認証情報として保持する認証情報メモリ手段を有し、上記個人情報送信手段は、上記個人情報要求信号に含まれている認証情報が上記登録認証情報と一致する場合に、上記個人情報を上記装置本体ユニットに送信することを特徴とする請求項１に記載の携帯無線通信装置。
【請求項３】
上記装置本体ユニットは、上記プライベートユニットに登録されている個人情報の一部を指定する指定情報を上記近距離無線通信プロトコルに従って上記プライベートユニットに無線送信する手段をさらに有し、
上記個人情報送信手段は、上記ユニットメモリ手段に記憶されている個人情報のうち上記指定情報により指定された個人情報のみを上記装置本体ユニットに無線送信することを特徴とする請求項１又は２に記載の携帯無線通信装置。
【請求項４】
上記装置本体ユニットは、加入者情報を記憶した加入者情報メモリ手段をさらに有し、
上記無線通信手段は、上記加入者情報メモリ手段に記憶された加入者情報に基づいて無線通信を実行することを特徴とする請求項１乃至３のいずれかに記載の携帯無線通信装置。
【請求項５】
上記装置本体ユニットは、加入者情報の送信要求を上記近距離無線通信プロトコルに従って上記プライベートユニットに無線送信する手段と、加入者情報読み出しのための認証情報を上記近距離無線通信プロトコルに従って上記プライベートユニットに無線送信する手段をさらに有し、
上記プライベートユニットは、加入者情報を記憶した加入者情報メモリ手段と、予め定められた加入者情報読み出しのための認証情報を登録認証情報として保持する認証情報メモリ手段と、上記装置本体ユニットから加入者情報の要求があった場合に、上記装置本体ユニットからの認証情報が上記登録認証情報と一致するとき、上記加入者情報を上記装置本体ユニットに無線送信する手段とをさらに有し、
上記無線通信手段は、上記プライベートユニットから無線送信されてきた加入者情報に基づいて無線通信を実行することを特徴とする請求項１乃至３のいずれかに記載の携帯無線通信装置。
【請求項６】
上記装置本体ユニットは、ユーザの指示に基づいて上記本体メモリ手段に記憶されている個人情報を消去する手段をさらに有することを特徴とする請求項１乃至５のいずれかに記載の携帯無線通信装置。
【請求項７】
上記装置本体ユニットは、電源切断に応答して上記本体メモリ手段に記憶されている個人情報を消去する手段をさらに有することを特徴とする請求項１乃至６のいずれかに記載の携帯無線通信装置。
【請求項８】
上記装置本体ユニットは、チェックメッセージを上記近距離無線通信プロトコルに従って上記プライベートユニットに無線送信する手段と、チェックメッセージ送信後の所定時間内にプライベートユニットからの応答信号を受信できない場合に、上記本体メモリ手段に記憶されている個人情報を消去する手段をさらに有し、
上記プライベートユニットは、上記チェックメッセージを受信したことに応答して、応答信号を上記近距離無線通信プロトコルに従って上記装置本体ユニットに無線送信する手段とを有することを特徴とする請求項１乃至６のいずれかに記載の携帯無線通信装置。
【請求項９】
上記装置本体ユニットは、上記チェックメッセージをプライベートユニットに定期的に無線送信することを特徴とする請求項８に記載の携帯無線通信装置。
【請求項１０】
上記プライベートユニットは、個人情報消去要求信号を上記近距離無線通信プロトコルに従って上記装置本体ユニットに無線送信する手段をさらに有し、
上記上記装置本体ユニットは、上記個人情報消去要求信号を受信したことに応答して、上記本体メモリ手段に記憶されている個人情報を消去する手段をさらに有することを特徴とする請求項１乃至６のいずれかに記載の携帯無線通信装置。
【請求項１１】
上記近距離無線通信プロトコルは、ブルートゥースであることを特徴とする請求項１乃至１０のいずれかに記載の携帯無線通信装置。
【請求項１２】
携帯無線通信装置本体ユニットと所定の近距離無線通信プロトコルに従って無線通信するように構成された携帯可能なプライベートユニットにおいて、
個人情報を予め記憶するユニットメモリ手段と、
上記携帯無線通信装置本体ユニットからの個人情報要求信号を受信したことに応答して、上記ユニットメモリ手段に記憶されている個人情報を上記近距離無線通信プロトコルに従って上記装置本体ユニットに無線送信する個人情報送信手段とを備えたことを特徴とするプライベートユニット。
【請求項１３】
プライベートユニットと所定の近距離無線通信プロトコルに従って無線通信可能な携帯無線通信装置本体ユニットにおいて、
個人情報の送信を要求する個人情報要求信号を所定の近距離無線通信プロトコルに従って上記プライベートユニットに無線送信する手段と、
上記プライベートユニットから上記近距離無線通信プロトコルに従って受信された個人情報を記憶する本体メモリ手段と、
この本体メモリ手段に記憶された個人情報に基づいて無線通信を実行する無線通信手段とを備えたことを特徴とする携帯無線通信装置本体ユニット。
【発明の詳細な説明】
【０００１】
【発明の属する技術分野】
この発明は、携帯無線通信装置、プライベートユニット及び携帯無線通信装置本体ユニットに係り、更に詳しくは、プライベートユニットと近距離無線通信プロトコルに従って無線通信可能な携帯電話機、例えばＷ−ＣＤＭＡ方式を採用した携帯電話機の改良に関する。
【０００２】
【従来の技術】
近年、携帯電話機、ＰＨＳ及びＰＤＡなどの携帯無線通信装置の普及は目覚しいものがある。この種の携帯無線通信装置は、屋内はもちろん屋外へも手軽に持ち運ぶことができ、いつでもどこでも誰とでも通信できるものである。たとえば発呼時においてこのような機能を実現するため、従来の携帯無線通信装置は、通信相手の電話番号及び電子メールアドレスなどの個人情報を登録するメモリを内蔵し、屋内及び屋外のいずれの場所においても上記メモリから個人情報を読み出して通信できるようになっている。
【０００３】
【発明が解決しようとする課題】
しかしながら、携帯無線通信装置の普及に伴ってメモリへ登録される個人情報件数も増加する傾向にあり、その結果メモリの容量不足を招くという問題が発生している。
【０００４】
なお、たとえば特開平１０−２３１３３号公報には、たとえば屋内に固設された親機に個人情報を予め登録しておき、子機であるＰＨＳから親機に登録された個人情報を必要に応じて読み出し、ＰＨＳから発呼できる技術が開示されている。
【０００５】
しかし、この従来技術は、親機として据え置き型の電話機を対象としているので、ＰＨＳへの個人情報の転送は親機の設置場所でしか実行できず、ユーザにとって非常に不便であるという問題がある。
【０００６】
そこで、本発明の目的は、個人情報を登録するメモリ手段の容量不足を解消でき、しかもユーザにとって便利な携帯無線通信装置、プライベートユニット及び携帯無線通信装置本体ユニットを提供することにある。
【０００７】
【課題を解決するための手段】
上記目的を達成するための本発明は、装置本体ユニットから個人情報の送信を要求する個人情報要求信号を所定の近距離無線通信プロトコルに従ってプライベートユニットに無線送信し、上記個人情報要求信号を受信したことに応答してプライベートユニットからユニットメモリ手段に記憶されている個人情報を上記近距離無線通信プロトコルに従って装置本体ユニットに無線送信し、当該個人情報を装置本体ユニットの本体メモリ手段に記憶するとともに、この記憶された個人情報に基づいて無線通信するようにしたものである。
【０００８】
請求項１に記載の本発明による携帯無線通信装置は、携帯可能な装置本体ユニット及び携帯可能なプライベートユニットからなる。上記装置本体ユニットは、上記個人情報の送信を要求する個人情報要求信号を所定の近距離無線通信プロトコルに従って上記プライベートユニットに無線送信する手段と、上記プライベートユニットから上記近距離無線通信プロトコルに従って受信した個人情報を記憶する本体メモリ手段と、この本体メモリ手段に記憶された個人情報に基づいて無線通信を実行する無線通信手段とを有する。上記プライベートユニットは、個人情報を予め記憶するユニットメモリ手段と、上記個人情報要求信号を受信したことに応答して、上記ユニットメモリ手段に記憶されている個人情報を上記近距離無線通信プロトコルに従って上記装置本体ユニットに無線送信する個人情報送信手段とを有する。
【０００９】
請求項２に記載の本発明による携帯無線通信装置は、上記装置本体ユニットが、個人情報読み出しのための認証情報を上記近距離無線通信プロトコルに従って上記プライベートユニットに無線送信する手段をさらに有する。また、上記プライベートユニットが、予め定められた個人情報読み出しのための認証情報を登録認証情報として保持する認証情報メモリ手段を有し、上記個人情報送信手段は、上記個人情報要求信号に含まれている認証情報が上記登録認証情報と一致する場合に、上記個人情報を上記装置本体ユニットに送信するように構成される。
【００１０】
請求項３に記載の本発明による携帯無線通信装置は、上記装置本体ユニットが、上記プライベートユニットに登録されている個人情報の一部を指定する指定情報を上記近距離無線通信プロトコルに従って上記プライベートユニットに無線送信する手段をさらに有する。また、上記個人情報送信手段が、上記ユニットメモリ手段に記憶されている個人情報のうち上記指定情報により指定された個人情報のみを上記装置本体ユニットに無線送信するように構成される。
【００１１】
請求項４に記載の本発明による携帯無線通信装置は、上記装置本体ユニットが、加入者情報を記憶した加入者情報メモリ手段をさらに有し、上記無線通信手段が、上記加入者情報メモリ手段に記憶された加入者情報に基づいて無線通信を実行するように構成される。
【００１２】
請求項５に記載の本発明による携帯無線通信装置は、上記装置本体ユニットが、加入者情報の送信要求を上記近距離無線通信プロトコルに従って上記プライベートユニットに無線送信する手段と、加入者情報読み出しのための認証情報を上記近距離無線通信プロトコルに従って上記プライベートユニットに無線送信する手段をさらに有する。また、上記プライベートユニットが、加入者情報を記憶した加入者情報メモリ手段と、予め定められた加入者情報読み出しのための認証情報を登録認証情報として保持する認証情報メモリ手段と、上記装置本体ユニットから加入者情報の要求があった場合に、上記装置本体ユニットからの認証情報が上記登録認証情報と一致するとき、上記加入者情報を上記装置本体ユニットに無線送信する手段とをさらに有する。そして、上記無線通信手段が、上記プライベートユニットから無線送信されてきた加入者情報に基づいて無線通信を実行する。
【００１３】
請求項６に記載の本発明による携帯無線通信装置は、上記装置本体ユニットが、ユーザの指示に基づいて上記本体メモリ手段に記憶されている個人情報を消去する手段をさらに有する。
【００１４】
請求項７に記載の本発明による携帯無線通信装置は、上記装置本体ユニットが、電源切断に応答して上記本体メモリ手段に記憶されている個人情報を消去する手段をさらに有する。
【００１５】
請求項８に記載の本発明による携帯無線通信装置は、上記装置本体ユニットが、チェックメッセージを上記近距離無線通信プロトコルに従って上記プライベートユニットに無線送信する手段と、チェックメッセージ送信後の所定時間内にプライベートユニットからの応答信号を受信できない場合に、上記本体メモリ手段に記憶されている個人情報を消去する手段をさらに有する。また、上記プライベートユニットが、上記チェックメッセージを受信したことに応答して、応答信号を上記近距離無線通信プロトコルに従って上記装置本体ユニットに無線送信する手段とを有する。
【００１６】
請求項９に記載の本発明による携帯無線通信装置は、上記装置本体ユニットが、上記チェックメッセージをプライベートユニットに定期的に無線送信する。
【００１７】
請求項１０に記載の本発明による携帯無線通信装置は、上記プライベートユニットが、個人情報消去要求信号を上記近距離無線通信プロトコルに従って上記装置本体ユニットに無線送信する手段をさらに有し、上記上記装置本体ユニットが、上記個人情報消去要求信号を受信したことに応答して、上記本体メモリ手段に記憶されている個人情報を消去する手段をさらに有する。
【００１８】
請求項１１に記載の本発明による携帯無線通信装置は、上記近距離無線通信プロトコルが、ブルートゥースであることを特徴とする。
【００１９】
請求項１２に記載の本発明によるプライベートユニットは、携帯無線通信装置本体ユニットと所定の近距離無線通信プロトコルに従って無線通信するように構成された携帯可能なプライベートユニットであって、個人情報を予め記憶するユニットメモリ手段と、上記携帯無線通信装置本体ユニットからの個人情報要求信号を受信したことに応答して、上記ユニットメモリ手段に記憶されている個人情報を上記近距離無線通信プロトコルに従って上記装置本体ユニットに無線送信する個人情報送信手段とを備えて構成される。
【００２０】
請求項１３に記載の本発明による携帯無線通信装置本体ユニットは、プライベートユニットと所定の近距離無線通信プロトコルに従って無線通信可能な携帯無線通信装置本体ユニットであって、　個人情報の送信を要求する個人情報要求信号を所定の近距離無線通信プロトコルに従って上記プライベートユニットに無線送信する手段と、上記プライベートユニットから上記近距離無線通信プロトコルに従って受信された個人情報を記憶する本体メモリ手段と、この本体メモリ手段に記憶された個人情報に基づいて無線通信を実行する無線通信手段とを備えて構成される。
【００２１】
【発明の実施の形態】
実施の形態１．
図１は、この発明の実施の形態１に係る携帯電話システムの全体構成を示す概略図である。この携帯電話システムは、Ｗ−ＣＤＭＡ方式を採用したものであり、音声通信はもちろん静止画や動画などの高速データ通信を可能とするものである。この携帯電話システムは、複数の携帯電話機ＭＳ（図１では便宜上１台）及び携帯通信ネットワークＮＷを備えており、携帯電話機ＭＳは携帯通信ネットワークＮＷを介して他の携帯電話機及び図外の通信装置と通信できるようになっている。
【００２２】
より具体的には、携帯通信ネットワークＮＷは、複数の基地局ＢＳ（図１では便宜上１台）、複数の基地局ＢＳに接続され、当該基地局ＢＳを制御する基地局制御装置ＢＳＣ（図１では便宜上１台）、及び、複数の基地局制御装置ＢＳＣに接続され、呼のルーティングなどを実行する交換局ＭＳＣを備えている。交換局ＭＳＣには、加入者情報を登録するデータベースＨＬＲが接続されている。
【００２３】
この携帯通信ネットワークＮＷは、基地局ＢＳの無線エリアであるセルから構成された所定のサービスエリアを有している。携帯電話機ＭＳは、この携帯通信ネットワークＮＷのサービスエリア内に存在する限り、どの通信装置とも通信することができるようになっている。なお、携帯電話機ＭＳは、携帯通信ネットワークＮＷとローミング契約を結んでいる他の携帯通信事業者のネットワークのサービスエリア内においても他の通信装置と通信できることは言うまでもない。
【００２４】
図２は、携帯電話機ＭＳの構成を示す機能ブロック図である。この携帯電話機ＭＳは、電話機本体１０及びプライベートユニット２０を備えている。電話機本体１０及びプライベートユニット２０は、いずれも携帯可能に構成されたもので、所定の近距離無線通信プロトコルであるブルートゥース（Ｂｌｕｅｔｏｏｔｈ）に従って相互に無線通信することができるようになっている。プライベートユニット２０には通信相手の電話番号などの個人情報が記憶されており、電話機本体１０は、ブルートゥースに従ってプライベートユニットから個人情報を取得し、当該個人情報を使って電話を掛けたり電子メールを送信したりすることができる。
【００２５】
電話機本体１０は、請求項における装置本体ユニット又は携帯無線通信本体装置に対応するもので、その高さが十数ｃｍ、幅及び奥行きが数ｃｍ程度であり、全体の重量がたとえば１００ｇ程度であるため、携帯可能な構成となっている。この電話機本体１０は、制御中枢として機能するＣＰＵなどの制御部１１、携帯通信ネットワークＮＷとの無線通信のための本体無線通信部１２、プライベートユニット２０との無線通信のための近距離無線通信部１３、加入者情報記憶部１４、本体メモリ部１５、ユーザインタフェース部（ＵＩ部）１６及び各部に電源を供給する電池部１７を備えている。
【００２６】
本体無線通信部１２は、無線部１２ａ及びＢＢ部（ベースバンド部）１２ｂを備えている。無線部１２ａは、携帯通信ネットワークＮＷからアンテナを介して受信された制御データ、音声データ或いは画像データなどを含む高周波信号をベースバンド信号に変換したりベースバンド信号を高周波信号に変換しアンテナを介して携帯通信ネットワークＮＷに送信する。ＢＢ部１２ｂは、無線部１２ａから与えられたベースバンド信号を復調しその復調データを本体制御部１１に与えたり、本体制御部１１から与えられたデータを変調してベースバンド信号を生成し当該ベースバンド信号を無線部１２ａに与えたりする。
【００２７】
近距離無線通信部１３は、ブルートゥースに従ってプライベートユニット２０と無線通信するもので、本体無線通信部１２と同様に、無線部１３ａおよびＢＢ部１３ｂを備えている。無線部１３ａは、プライベートユニット２０との間でたとえば２．４ＧＨｚの無線電波を送受するもので、受信信号をベースバンド信号に変換したり、送信すべきベースバンド信号を上記無線電波に変換したりする。ＢＢ部１３ｂは、無線部１３ａから与えられたベースバンド信号を復調しその復調データを本体制御部１１に与えたり、本体制御部１１から与えられたデータを変調してベースバンド信号を生成し当該ベースバンド信号を無線部１３ａに与えたりする。
【００２８】
加入者情報記憶部１４は、加入者情報を記憶するもので、たとえばＷ−ＣＤＭＡにおけるＵＩＭ（Ｕｓｅｒ　Ｉｄｅｎｔｉｔｙ　Ｍｏｄｕｌｅ）に類似するものである。加入者情報は、自局電話番号、及び発着信並びに課金のための加入者識別情報を含む。すなわち、加入者情報は課金対象にもなるので、電話機本体１０はこの加入者情報がなければ通信できないものである。また、加入者情報記憶部１４は、プライベートユニット２０のユニットアドレス（たとえば４８ビット）を記憶するアドレス記憶部１４ａを備えている。すなわち、この実施の形態１では、電話機本体１０とプライベートユニット２０とは１対１に対応する。
【００２９】
本体メモリ部１５は、電源オフによってもデータを保持するフラッシュメモリなどの不揮発性メモリから構成されるもので、無線通信に必要なデータを一時的に保持するワークエリアとしての機能を有する他、個人情報記憶部１５ａを有している。個人情報記憶部１５ａは、プライベートユニット２０から転送される個人情報を記憶するメモリ領域に対応するものである。
【００３０】
また、本体メモリ部１５は、着信履歴記憶部１５ｂを有している。着信履歴記憶部１５ｂは、本体無線通信部１２で受信された着呼信号に含まれている通信相手の電話番号及び電子メールを記憶するものである。本体制御部１１は、本体無線通信部１２で着呼信号が受信されると、この着呼信号に含まれている電話番号を抽出し、当該電話番号を着信履歴記憶部１５ｂに記憶させる。また、本体制御部１１は、本体無線通信部１２で電子メールが受信されると、当該電子メールを着信履歴記憶部１５ｂに記憶させる。
【００３１】
ＵＩ部１６は、ユーザにより直接操作可能な複数の操作キー部、表示部、マイク部及びスピーカ部などを備えている。操作キー部は、発呼／着呼キー、ファンクションキー、電源キー及びテンキーなどを備えている。
【００３２】
一般に、プライベートユニット２０は、携帯電話機本体１０と同程度か、さらに小型で軽量の携帯可能な装置として構成されている。プライベートユニット２０は、制御中枢として機能するＣＰＵなどのユニット制御部２１、電話機本体１０との無線通信のための近距離無線通信部２２、ユーザインタフェース部（ＵＩ部）２３、ユニットメモリ部２４及び各部に電源を供給する電池部２５を備えている。
【００３３】
近距離無線通信部２２は、ブルートゥースに従って電話機本体１０と無線通信するもので、無線部２２ａおよびＢＢ部２２ｂを備えている。無線部２２ａは、電話機本体１０との間でたとえば２．４ＧＨｚの無線電波を送受するもので、受信信号をベースバンド信号に変換したり、送信すべきベースバンド信号を上記無線電波に変換したりする。ＢＢ部２２ｂは、無線部２２ａから与えられたベースバンド信号を復調しその復調データをユニット制御部２１に与えたり、ユニット制御部２１から与えられたデータを変調してベースバンド信号を生成し当該ベースバンド信号を無線部２２ａに与えたりする。
【００３４】
ＵＩ部２３は、ユーザにより直接操作可能な複数の操作キー部及び表示部などを備えている。操作キー部は、発呼／着呼キー、ファンクションキー、電源キー及びテンキーなどを備えている。
【００３５】
ユニットメモリ部２４は、電源オフによってもデータを保持するフラッシュメモリなどの不揮発性メモリから構成されるもので、無線通信に必要なデータを一時的に保持するワークエリアとしての機能を有する他、個人情報登録部２４ａを有している。個人情報登録部２４ａは、個人情報を予め登録するメモリ領域に対応するものである。また、ユニットメモリ部２４は、アドレス記憶部２４ｂを有している。アドレス記憶部２４ｂは、プライベートユニットのユニットアドレスを登録アドレス（個人情報読み出しのための登録認証情報）として予め登録するものである。
【００３６】
個人情報は、自局以外の携帯電話機、ＰＨＳ電話機、ＰＤＡ、パーソナルコンピュータ及び固定電話機などの通信相手となる他の通信装置の電話番号や電子メールアドレス等の通信装置ごとに対応付けられた情報等である。個人情報は、たとえばＵＩ部２３を介して個人情報登録部２４ａに予め登録される。
【００３７】
個人情報の登録はたとえば次のとおりである。個人情報を手動で登録する場合、ユーザは、操作キー部のファンクションキーを操作し登録画面を表示部に表示させる。この状態においてユーザは操作キー部のテンキーを操作し、通信相手の名前、住所、電話番号、電子メールアドレスなどを登録する。ユニット制御部２１は、この入力された個人情報を個人情報登録部２４ａに通信相手ごとに登録する。
【００３８】
また、個人情報の登録は、たとえば電話機本体１０での受信信号に基づいても行われる。具体的には、電話及び電子メールの着呼時においては電話機本体１０での受信信号中に通信相手の電話番号又は電子メールアドレスが含まれている。これらの電話番号又は電子メールアドレスは、上述のように、受信後も着信履歴として電話機本体１０に保持される。
【００３９】
この着信された電話番号又は電子メールアドレスをプライベートユニット２０に登録する場合、ユーザは、電話機本体１０の操作キー部を操作し、着信履歴記憶部１５ｂに記憶されている電話番号又は電子メールアドレスの登録を指示する。これに応答して、本体制御部１１は、上記登録指示に応答して、登録指示された電話番号又は電子メールアドレスを含む登録要求信号を生成し、当該登録要求信号を近距離無線通信部１３を介してプライベートユニット２０に無線送信する。
【００４０】
ユニット制御部２１は、近距離無線通信部２２を介して受信された上記登録要求信号の中から電話番号又は電子メールアドレスを抽出し、当該電話番号又は電子メールアドレスを個人情報登録部２４ａに登録させる。こうして、個人情報の登録が達成される。
【００４１】
図３は、電話機本体１０による発呼処理を説明するためのフローチャートである。本体メモリ部１５に個人情報が記憶されていない場合において、ユーザは、通信相手に電話を掛ける場合、電話機本体１０に対して個人情報の転送を指示する。これに応答して、本体制御部１１は、プライベートユニット２０に記憶されている個人情報をブルートゥースに従って取得する個人情報取得処理を実行する（ステップＳ１）。その結果、プライベートユニット２０に記憶されている個人情報は電話機本体１０に送信され本体メモリ部１５の個人情報記憶部１５ａに記憶される。この場合、本体制御部１１は、個人情報の転送が完了したことを表示部を介してユーザに知らせる。
【００４２】
ユーザは、特定の電話番号を読み出すために操作キー部のファンクションキーを操作する。これに応答して、本体制御部１１は、個人情報記憶部１５ａに記憶された個人情報を読み出し逐一表示部に表示させる（ステップＳ２）。ユーザは、特定の電話番号が表示されている状態で発呼／着呼キーを操作する。これに応答して、本体制御部１１は、当該電話番号に対する発呼処理を実行する（ステップＳ３、Ｓ４）。
【００４３】
具体的には、本体制御部１１は、加入者情報記憶部１４にアクセスし、加入者情報記憶部１４に記憶されている加入者情報を読み出す（ステップＳ３）。本体制御部１１は、この読み出された加入者情報及びユーザにより選択された電話番号を含む発呼信号を本体無線通信部１２を介して携帯通信ネットワークＮＷに無線送信する（ステップＳ４）。
【００４４】
携帯通信ネットワークＮＷは、上記発呼信号を受信すると、当該発呼信号中の加入者情報を抽出し、当該加入者情報に基づいて認証処理を実行する。具体的には、携帯通信ネットワークＮＷは、ＨＬＲなどの加入者情報を予め記憶したデータベースにアクセスし、発呼元の加入者情報を照合する。その結果、正規の加入者であれば、携帯通信ネットワークＮＷは従来公知の回線接続処理を実行する。
【００４５】
図４は、電話機本体１０とプライベートユニット２０間で実行される個人情報転送処理を説明するためのフローチャートである。この図４において、電話機本体１０の処理が図３における個人情報取得処理に相当する。
【００４６】
ユーザは、操作キー部のファンクションキーを操作することに種々の機能を選択できるメニュー画面を表示部に表示させ（ステップＴ１）、この中から「電話帳」を選択する（ステップＴ２）。これに応答して、本体制御部１１は、個人情報要求処理を実行する（ステップＴ３）。
【００４７】
より詳述すれば、本体制御部１１は、「電話帳」が選択されると、アドレス記憶部１５ｂに記憶されているユニットアドレスを読み出し、当該ユニットアドレスを宛先とした個人情報要求信号を近距離無線通信部１３を介してプライベートユニット２０に無線送信する（ステップＴ４）。つまり、ユニットアドレスは個人情報読み出しのための認証情報として送信される。
【００４８】
ユニット制御部２１は、近距離無線通信部２２を介して上記個人情報要求信号を受信すると、自局宛であるか否かを判断する認証処理を実行する（ステップＴ５）。具体的には、ユニット制御部２１は、上記個人情報要求信号の宛先であるユニットアドレスに基づいて、受信相手は自局であるか否かを判別する。さらに具体的には、ユニット制御部２１は、アドレス記憶部２４ｂにアクセスし、個人情報要求信号の宛先であるユニットアドレスと自局の登録アドレスとの異同を判別する。
【００４９】
自局のアドレスでなければ（ステップＴ５のＮＯ）、正規の電話機本体１０からのアクセスでないとみなすことができるので、ユニット制御部２１は、アクセス不能信号を近距離無線通信部２２を介して電話機本体１０に無線送信する（ステップＴ６）。本体制御部１１は、個人情報要求信号送信後個人情報を受信したか否かを監視しており（ステップＴ９）、上記アクセス不能信号が近距離無線通信部１３を介して受信されると、アクセス不能である旨を表示部に表示させるなどしてユーザに報知する（ステップＴ１０）。
【００５０】
一方、自局のアドレスであれば（ステップＴ５のＹＥＳ）、正規の電話機本体１０からのアクセスであるとみなすことができるので、ユニット制御部２１は、個人情報登録部２４ａに登録されている個人情報を読み出し（ステップＴ７）、当該個人情報を含む個人情報信号を近距離無線通信部２２を介して電話機本体１０に無線送信する（ステップＴ８）。
【００５１】
近距離無線通信部１３を介して個人情報信号が受信されると、ステップＴ９の判別結果は肯定となるので、本体制御部１１は、当該個人情報信号中の個人情報を本体メモリ部１５の個人情報記憶部１５ａに記憶させる（ステップＴ１１）。これにより、個人情報の転送が完了する。
【００５２】
以上のようにこの実施の形態１によれば、携帯可能なプライベートユニット２０に個人情報を登録しておくことができるので、電話機本体１０のみに個人情報を登録する場合に比べて電話機本体１０のメモリサイズを小さくできる。そのため、電話機本体１０のサイズ及びコストを抑えることができる。
【００５３】
また、屋内及び屋外のいずれの場所においても必要に応じてプライベートユニット２０から個人情報を電話機本体１０に転送することができるので、特定の場所でしか個人情報を転送できない場合と異なり、ユーザの不便を解消できる。
【００５４】
さらに、電話機本体１０は出し入れが頻繁で紛失及び落下などによる個人情報の漏洩及び破損の危険が付きまとうが、プライベートユニット２０は鞄又は財布などに常時収納できるので、個人情報のセキュリティを確保できる。すなわち、プライベートユニット２０を常時鞄などに収納した状態でもブルートゥースに従って無線で個人情報を電話機本体１０に転送することができるからである。
【００５５】
さらにまた、個人情報を転送するのに先立ってユニットアドレスを使って認証処理を実施するようにしているので、プライベートユニット２０の個人情報が第三者の電話機本体に転送される危険を防止できる。そのため、個人情報のセキュリティを一層確保できる。
【００５６】
なお、上記説明では、ユニットアドレスの認証結果のみで個人情報の転送を許可している。しかし、たとえば電話機本体１０及びプライベートユニット２０の両方が盗難された場合或いは両方を紛失した場合、第三者に悪用されるおそれがある。そこで、さらなるセキュリティ向上のため、個人情報読み出しのための第２の認証情報としてのパスワードによる認証処理を追加してもよい。
【００５７】
図５は、パスワードによる認証処理を追加した個人情報転送処理を説明するためのフローチャートである。プライベートユニット２０における自局宛か否かの判別処理Ｔ５までは図４と同じなのでその説明を省略する。
【００５８】
なお、この図５に係る処理を実行する場合におけるユニットメモリ部２４は、パスワード記憶部（図示せず）を備えている。パスワード記憶部は、ユニットメモリ部２４の個人情報登録部２４ａへのアクセスを許可する登録パスワード（個人情報読み出しのための登録認証情報）を予め記憶している。
【００５９】
ユニット制御部２１は、個人情報要求が自局宛であると判別すると（ステップＴ５のＹＥＳ）、パスワードの入力を電話機本体１０に対して要求するパスワード要求処理を実行する（ステップＵ１）。具体的には、ユニット制御部２１はパスワード要求信号（個人情報読み出しのための認証情報）を近距離無線通信部２２を介して電話機本体１０に無線送信する（ステップＵ２）。
【００６０】
一方、本体制御部１１は、個人情報要求信号送信後、パスワード要求信号を受信したか否かを監視する（ステップＵ３）。パスワード要求信号でなくアクセス不能信号を受信した場合、本体制御部１１は、アクセス不能をユーザに報知する（ステップＵ１２）。パスワード要求信号を受信した場合、本体制御部１１は、パスワード入力画面を電話機本体１０の表示部に表示させる（ステップＵ４）。ユーザは、このパスワード入力画面上でパスワードを入力する（ステップＵ５）。入力されたパスワードは、近距離無線通信部１３を介してプライベートユニット２０に無線送信される（ステップＵ６）。
【００６１】
ユニット制御部２１は、パスワードが受信されると、パスワードの認証処理を実行する（ステップＵ７）。具体的には、ユニット制御部２１は、受信されたパスワードがパスワード記憶部に記憶されている登録パスワードと一致するか否かを判別する。一致しなければ、不正ユーザからのアクセスであるとみなすことができるから、ユニット制御部２１は、アクセス不能信号を近距離無線通信部２２を介して電話機本体１０に無線送信する（ステップＵ８）。本体制御部１１は、パスワード入力後個人情報を受信したか否かを監視しており（ステップＵ１１）、この状態においてアクセス不能信号が近距離無線通信部１３を介して受信された場合、アクセス不能をユーザに報知する（ステップＵ１２）。
【００６２】
一方、登録パスワードと一致すれば、正規ユーザからのアクセスであるとみなすことができるから、ユニット制御部２１は、個人情報登録部２４ａから個人情報を読み出し（ステップＵ９）、当該個人情報を含む個人情報信号を近距離無線通信部２２を介して電話機本体１０に無線送信する（ステップＵ１０）。本体制御部１１は、近距離無線通信部１３を介して個人情報が受信されると（ステップＵ１１のＹＥＳ）、当該個人情報を本体メモリ部１５の個人情報記憶部１５ａに記憶させる（ステップＵ１３）。こうして、個人情報の転送が達成される。
【００６３】
以上のようにこの構成によれば、プライベートユニットのアドレスだけでなくパスワードによる認証処理を追加しているから、個人情報のセキュリティをより一層向上することができる。
【００６４】
また、上記説明では、プライベートユニット２０に登録されている個人情報をすべて一括して電話機本体１０に転送する場合を例にとって説明している。しかし、たとえばプライベートユニット２０に登録されている個人情報の一部を選択的に電話機本体１０に転送するようにしてもよい。
【００６５】
図６は、個人情報の一部を選択的に電話機本体１０に転送する場合の処理を説明するための信号シーケンスである。図６におけるステップＶ１の「アクセス許可」とは、図４におけるステップＴ５（ユニットアドレスによる承認）又は図５におけるステップＴ５及びＵ７（ユニットアドレス及びパスワードによる承認）に相当する処理である。
【００６６】
ユニット制御部２１は、アクセス許可である場合、個人情報リストを個人情報登録部２４ａから読み出し（ステップＶ３）、当該個人情報リストを近距離無線通信部２２を介して電話機本体１０に無線送信する（ステップＶ４）。ここに、個人情報リストは、個人情報登録部２４ａに登録されている個人情報のタイトルの一覧に相当するもので、たとえば個人或いは組織の名称である。或いは、個人情報リストは、複数の個人情報を所定のグループに分類した場合におけるグループ名或いはグループ番号である。ユニット制御部２１は、個人情報を個人情報登録部２４ａに登録する際に、当該個人情報リストを作成し個人情報登録部２４ａに登録している。
【００６７】
本体制御部１１は、個人情報要求信号送信後個人情報リストを受信したか否かを監視している（ステップＶ５）。個人情報リストでなくアクセス不能信号（ステップＶ２）が受信された場合には、本体制御部１１は、アクセス不能である旨をユーザに報知する（ステップＶ１３）。一方、個人情報リストが受信された場合、本体制御部１１は、当該個人情報リストを表示部に表示させ（ステップＶ６）、転送を希望するリスト番号の入力をユーザに促す。ユーザは、転送希望のリスト番号を操作キー部を介して指定する（ステップＶ７）。本体制御部１１は、転送希望のリスト番号が指定されると、当該リスト番号を近距離無線通信部１３を介してプライベートユニット２０に無線送信する（ステップＶ８）。
【００６８】
ユニット制御部２１は、近距離無線通信部２２を介してリスト番号が受信されると、当該リスト番号に対応する個人情報のみを個人情報登録部２４ａから読み出し（ステップＶ９）、当該個人情報を含む個人情報信号を近距離無線通信部２２を介して電話機本体１０に無線送信する（ステップＶ１０）。本体制御部１１は、個人情報信号が受信されると（ステップＶ１１のＹＥＳ）、当該個人情報を個人情報記憶部１５ａに記憶させる（ステップＶ１２）。こうして、個人情報の選択転送が達成される。
【００６９】
以上のようにこの構成によれば、プライベートユニット２０に登録されている個人情報の一部のみを選択的に電話機本体１０に転送させることができるので、プライベートユニット２０のメモリサイズを大きくして多くの個人情報を登録しておくことができる一方で電話機本体１０のメモリサイズを一層小さくできる。つまり、個人情報の転送を予め実行したうえで携帯電話機を携帯する必要のある場合に比べて、電話機本体１０のメモリ容量の範囲を超えた個人情報の携帯が可能となる。そのため、電話機本体１０のサイズ及びコストをより一層低減することができる。
【００７０】
実施の形態２．
図７は、この発明の実施の形態２に係る携帯電話機ＭＳの構成を示すブロック図である。図７において、図２と同じ機能部分については同一の参照符号を使用する。
【００７１】
上記実施の形態１では、加入者情報は電話機本体１０の加入者情報記憶部１４に記憶されている。これに対して、この実施の形態２によれば、加入者情報は電話機本体１０でなくプライベートユニット２０に記憶されている。この構成により、電話機本体１０をいわば公衆電話機として使用することができる。
【００７２】
より詳述すれば、この実施の形態２に係る電話機本体１０は、実施の形態１と異なり、加入者情報記憶部を有しておらず、その代わりに、プライベートユニットが加入者情報記憶部３１を有している。また、電話機本体１０は、実施の形態１と異なり、プライベートユニット２０のユニットアドレスを予め登録していない。これは、電話機本体１０を公衆電話機として使用するために、複数のプライベートユニット２０にアクセス可能とするためである。
【００７３】
図８は、実施の形態２に係る発呼処理を説明するためのフローチャートである。この発呼処理は、プライベートユニット２０から電話機本体１０に対して個人情報が既に転送されている場合を例にとって説明する。
【００７４】
電話機本体１０は、プライベートユニット２０の加入者情報を定期的（たとえば３０秒ごとに）にチェックする。具体的には、本体制御部１１は、加入者情報のチェックメッセージを定期的に近距離無線通信部１３を介してプライベートユニット２０に無線送信する（ステップＷ１）。ユニット制御部２１は、チェックメッセージを近距離無線通信部２２を介して受信すると、加入者情報を加入者情報記憶部３１から読み出し、当該加入者情報を含む応答信号を近距離無線通信部２２を介して電話機本体１０に返信する（ステップＷ２）。
【００７５】
ユーザにより発呼指示が入力された場合（ステップＷ３のＹＥＳ）、本体制御部１１は、ユーザに対しプライベートユニット２０の特定を問い合わせる（ステップＷ４）。具体的には、本体制御部１１は、プライベートユニット２０から応答信号を受信していることを条件に、プライベートユニット２０のユニットアドレスを入力する入力画面を電話機本体の表示部に表示させる。ユーザは、この入力画面から特定のユニットアドレスを入力する。ユニットアドレスが入力されると、本体制御部１１は、当該ユニットアドレス（加入者情報読み出しのための認証情報）を近距離無線通信部１３を介してプライベートユニット２０に無線送信する（ステップＷ５）。
【００７６】
ユニット制御部２１は、上記ユニットアドレスが近距離無線通信部２２を介して受信されると、アドレス認証処理を実行する（ステップＷ６）。具体的には、ユニット制御部２１は、受信されたユニットアドレスがアドレス記憶部２４ｂの登録アドレス（加入者情報読み出しのための登録認証情報）と一致するか否かを判別する。
【００７７】
一致しなければ不正ユーザからのアクセスであるとみなすことができるから、ユニット制御部２１は、アクセス不能信号を近距離無線通信部２２を介して電話機本体１０に無線送信する（ステップＷ７）。本体制御部１１は、ユニットアドレス送信後パスワード要求信号を受信したか否かを監視している（ステップＷ９）。パスワード要求信号でなくアクセス不能信号を受信した場合、本体制御部１１は、アクセス不能である旨を表示部に表示するなどしてユーザに報知する（ステップＷ１６）。この場合、発呼動作は中止される。
【００７８】
上記ステップＷ６での判別の結果ユニットアドレスが一致すると判別された場合、ユニット制御部２１は、パスワード要求信号を近距離無線通信部２２を介して電話機本体１０に無線送信する（ステップＷ８）。本体制御部１１は、近距離無線通信部１３を介してパスワード要求信号が受信されると、パスワード信号を近距離無線通信部１３を介してプライベートユニット２０に無線送信する（ステップＷ１０）。具体的には、本体制御部１１は、パスワード入力画面を表示部に表示させ、ユーザからパスワードが入力された後、当該パスワード（加入者情報読み出しのための認証情報）をプライベートユニット２０に送信する。
【００７９】
ユニット制御部２１は、近距離無線通信部２２を介してパスワード信号が受信されると、当該パスワードと加入者情報記憶部３１に記憶されている登録パスワード（加入者情報読み出しのための登録認証情報）とを照合する認証処理を実行する（ステップＷ１１）。
【００８０】
一致しなければ不正ユーザからのアクセスであるとみなすことができるので、ユニット制御部２１は、アクセス不能信号を近距離無線通信部２２を介して電話機本体１０に無線送信する（ステップＷ１２）。本体制御部１１は、パスワード信号送信後加入者情報を受信したか否かを監視している（ステップＷ１４）。加入者情報でなくアクセス不能信号が受信された場合、本体制御部１１は、アクセス不能である旨をユーザに報知する（ステップＷ１６）。
【００８１】
一方、一致すれば正規ユーザからのアクセスであるとみなすことができるので、ユニット制御部２１は、加入者情報記憶部３１から加入者情報を読み出し、当該加入者情報を含む加入者情報信号を近距離無線通信部２２を介して電話機本体１０に無線送信する（ステップＷ１３）。本体制御部１１は、近距離無線通信部１３を介して加入者情報信号が受信されると、当該加入者情報信号中の加入者情報を抽出し、この加入者情報及び通信相手の電話番号などの個人情報を含む発呼信号を本体無線通信部１２を介して携帯通信ネットワークＮＷへ無線送信する（ステップＷ１５）。
【００８２】
携帯通信ネットワークＮＷは、上記発呼信号を受信すると、当該発呼信号中の加入者情報を抽出し、当該加入者情報に基づいて認証処理を実行する。具体的には、携帯通信ネットワークＮＷは、ＨＬＲなどの加入者情報を予め記憶したデータベースにアクセスし、発呼元の加入者情報を照合する。その結果、正規の加入者であれば、携帯通信ネットワークＮＷは従来公知の回線接続処理を実行する。
【００８３】
本体制御部１１は、回線接続後も継続してプライベートユニットの加入者情報のチェックを実施する。もしプライベートユニットから応答信号が返信されてこなかった場合、本体制御部１１は従来公知の回線切断処理を実行する。
【００８４】
以上のようにこの実施の形態２によれば、加入者情報をプライベートユニット２０に登録することにより電話機本体１０のみで通信することを禁止できる。したがって、電話機本体１０を盗難され、あるいは紛失した場合でも、悪用される危険を回避できる。
【００８５】
また、プライベートユニット２０を保持する第三者に対して電話機本体１０を貸与しても通信料金はプライベートユニットの保有者に課金されるから、通信料金を精算する必要がない。
【００８６】
さらに、電話機本体１０を公共の場所に設置しておけばプライベートユニット２０を保有する複数のユーザが電話機本体１０を使用できるから、公衆電話機としても使用することができる。
【００８７】
さらにまた、プライベートユニット２０からの加入者情報の読み出しは、ユニットアドレス及びパスワードの２段階の認証を必須としているので、たとえプライベートユニット２０が盗難されたりプライベートユニットを紛失したりした場合でも、不正使用を防止できる。
【００８８】
実施の形態３．
図９は、この発明の実施の形態３に係る電話機本体１０における個人情報消去処理を説明するためのフローチャートである。
【００８９】
上記実施の形態１又は２では、プライベートユニット２０から転送された個人情報を電話機本体１０の個人情報記憶部１５ａに記憶している。プライベートユニット２０に登録されている個人情報はセキュリティが確保されているため第三者に漏洩することはないが、電話機本体１０に転送され記憶されている個人情報は電話機本体１０を操作することにより第三者に知られるおそれがある。そこで、この実施の形態３では、電話機本体１０に記憶されている個人情報を必要に応じて消去できるようにしている。
【００９０】
より詳述すれば、ユーザの指示に応答して、本体制御部１１はメニュー画面を表示部に表示させる（ステップＸ１）。このメニュー画面は、たとえば個人情報転送及び個人情報消去などの複数の選択肢を表示する画面である。本体制御部１１は、いずれの選択肢が選択されるかを待つ。ユーザにより個人情報消去が選択されると（ステップＸ２のＹＥＳ）、本体制御部１１は、本体メモリ部１５の個人情報記憶部１５ａにアクセスし、記憶されている個人情報をすべて消去する（ステップＸ３）。
【００９１】
以上のようにこの実施の形態３によれば、電話機本体１０に転送され記憶されている個人情報を一括消去できるので、たとえば電話機本体１０が盗難又は紛失した場合でも個人情報の漏洩を防止できる。
【００９２】
なお、上記説明では、個人情報の一括消去を例にとっているが、たとえばメニュー画面の個人情報消去が選択された場合、記憶されている複数（或いはすべて）の個人情報のリストを表示部に表示するようにし、個人情報を個別に消去できるようにしてもよいことはもちろんである。
【００９３】
実施の形態４．
図１０は、この発明の実施の形態４に係る電話機本体における個人情報消去処理を説明するためのフローチャートである。
【００９４】
上記実施の形態３では、ユーザによりメニュー画面の表示が指示されその中から個人情報消去を指示された場合に、個人情報を消去する場合を例にとっている。これに対して、この実施の形態４では、電源オフが指示された場合に個人情報を消去する。
【００９５】
具体的には、本体制御部１１は、ユーザにより操作キー部の電源キーが押圧され電源オフが指示されたことを検出すると（ステップＹ１）、本体メモリ部１５の個人情報記憶部１５ａにアクセスし、記憶されている個人情報を一括消去する（ステップＹ２）。
【００９６】
この構成によれば、メニュー画面をわざわざ表示させて選択動作をしなくても電話機本体１０に記憶されている個人情報を一括消去できるので、ユーザに面倒な操作をさせなくて済む。そのため、ユーザの利便性を向上できる。また、個人情報の消去を忘れる場合も考えられるので、個人情報のセキュリティを向上できる。
【００９７】
なお、上記説明では、電源オフに応答して個人情報を一括消去する場合を例にとっているが、上記と同様に個人情報を個別に消去できるようにしてもよいことはもちろんである。この場合、本体制御部１１は、電源オフが指示されると、上記と同様に記憶されている複数（或いはすべて）の個人情報のリストを表示部に表示させ、この中からユーザによる操作キー部の操作により選択された個人情報のみを消去する。この構成によれば、個人情報の消去忘れを防止でき、しかも残しておいても問題のない個人情報を消去せずに済むので、ユーザの利便性を一層向上することができる。
【００９８】
実施の形態５．
図１１は、この発明の実施の形態５に係る個人情報消去処理での電話機本体１０及びプライベートユニット２０の信号シーケンスである。
【００９９】
上記実施の形態３又は４では、ユーザの指示又は電源オフに基づいて電話機本体１０に記憶されている個人情報を消去する。これに対して、この実施の形態５では、電話機本体１０からプライベートユニット２０を定期的又は不定期にモニタし、電話機本体１０においてプライベートユニット２０と通信不能となった場合に、個人情報を自動的に消去する場合を例にとっている。
【０１００】
不定期にプライベートユニット２０をモニタする場合の例を以下に説明する。本体制御部１１は、電話機本体１０が携帯通信ネットワークＮＷのサービスエリアの圏外に存在するか否かを監視する（ステップＺ１）。具体的には、携帯通信ネットワークＮＷは、サービスエリアに対して報知信号を常時報知している。電話機本体１０は、本体無線通信部１２を介してこの報知信号を常時受信しており、本体制御部１１はこの報知信号を所定のしきい値以上で受信している間はサービスエリアの圏内であると判断する。すなわち、本体制御部１１は、報知信号の受信レベルがしきい値未満であるか否かに基づいてサービスエリアの圏外又は圏内を判断している。
【０１０１】
ステップＺ１の結果サービスエリア圏外であると判別されると、本体制御部１１は、近距離無線通信部１３を介してプライベートユニット２０の有無を検出する。具体的には、本体制御部１１は、近距離無線通信部１３を介して所定のチェックメッセージを無線送信する（ステップＺ２）。ユニット制御部２１は、電話機本体１０からチェックメッセージを受信したか否かを判別する（ステップＺ３）。たとえばチェックメッセージを受信できないほど電話機本体１０と離れている場合、当然ながらチェックメッセージは受信されないので、ユニット制御部２１は、ステップＺ３の処理を繰り返し実行する。一方、チェックメッセージを受信したと判別されると、ユニット制御部２１は、応答信号を近距離無線通信部２２を介して返信する（ステップＺ４）。
【０１０２】
本体制御部１１は、上記チェックメッセージ送信と同時に所定のタイマをスタートさせる（ステップＺ５）。そして、本体制御部１１は、上記タイマがタイムアップしたか否かをモニタする（ステップＺ６）。上記タイマがタイムアップした場合、プライベートユニット２０との通信は不能と考えられるので、本体制御部１１は、本体メモリ部１５の個人情報記憶部１５ａにアクセスし、記憶されているすべての個人情報を一括消去する（ステップＺ７）。
【０１０３】
一方、上記タイマがタイムアップしていない間、本体制御部１１は、応答信号を受信したか否かをモニタする（ステップＺ８）。応答信号が受信されれば、本体制御部１１は、ステップＺ１の処理に移行する。一方、応答信号が受信されなければ、本体制御部１１は、ステップＺ６の処理に移行し、タイマがタイムアップしたか否かを繰り返し判別する。
【０１０４】
以上のようにこの実施の形態５によれば、電話機本体１０がサービスエリア圏外に出た場合をトリガとしてプライベートユニット２０をモニタし、プライベートユニット２０と通信不能であるとき、電話機本体１０に記憶されている個人情報を一括消去する。したがって、たとえばユーザの知らないうちに電話機本体１０が盗難され又は紛失した場合でも、電話機本体１０の個人情報を自動的に一括消去できるので、個人情報が第三者に漏洩するのを防止できる。
【０１０５】
なお、上記説明では、プライベートユニットを不定期にモニタするトリガとしてサービスエリア圏外への退出を例にとって説明している。しかし、たとえばプライベートユニットを不定期にモニタするトリガとしては、たとえば電話機本体１０からの発信時又は電話機本体１０への着信時を考えることができる。この構成によれば、たとえば電話機本体１０を盗難した第三者が電話機本体１０を悪用しようとした場合に個人情報を自動的に一括消去できるので、個人情報の漏洩を最小限に抑えることができる。
【０１０６】
また、上記説明では、プライベートユニット２０を不定期にモニタする場合を例にとっているが、プライベートユニット２０を定期的にモニタするようにしてもよいことはもちろんである。この場合、本体制御部１１は、サービスエリアの圏外か否かを判別する代わりに、所定周期が経過したか否かを判別する。この構成によれば、たとえば盗難された又は紛失した電話機本体１０がサービスエリア圏外に出なくても電話機本体１０に記憶されている個人情報を自動的に一括消去できるので、個人情報のセキュリティをより一層向上することができる。
【０１０７】
実施の形態６．
図１２は、この発明の実施の形態６に係る個人情報消去処理での電話機本体１０及びプライベートユニット２０の信号シーケンスである。
【０１０８】
上記実施の形態５では、電話機本体１０からプライベートユニット２０にアクセスすることにより個人情報の消去処理を実行する場合を例にとっている。これに対して、この実施の形態６では、プライベートユニット２０から電話機本体１０にアクセスすることにより電話機本体１０に記憶されている個人情報を消去することとしている。
【０１０９】
より詳述すれば、上述のようにプライベートユニット２０はユーザが操作可能な操作キー部を有しており、この操作キー部は消去要求キーを含む。ユニット制御部２１は、上記消去要求キーが押圧されると（ステップＡ１のＹＥＳ）、電話機本体１０に対して個人情報消去要求信号を近距離無線通信部２２を介して無線送信する（ステップＡ２）。一方、本体制御部１１は、上記個人情報消去要求信号が近距離無線通信部を介して受信されると（ステップＡ３のＹＥＳ）、本体メモリ部１５の個人情報記憶部１５ａにアクセスし、記憶されているすべての個人情報を一括消去する（ステップＡ４）。本体制御部１１は、消去終了後、消去完了信号を近距離無線通信部１３を介してプライベートユニット２０に無線送信する（ステップＡ５）。
【０１１０】
以上のようにこの実施の形態６によれば、プライベートユニット２０からでも電話機本体に記憶されている個人情報を一括消去できる。
【０１１１】
なお、この発明の実施の形態の説明は以上のとおりであるが、この発明は上述の実施の形態に限定されるものでない。たとえば上記実施の形態では、携帯無線通信装置として携帯電話機ＭＳを例にとって説明している。しかし、たとえば携帯無線通信装置としては、通話機能のないＰＤＡなどを採用することができる。
【０１１２】
【発明の効果】
以上のようにこの発明によれば、携帯可能なプライベートユニットに個人情報を記憶しているので、装置本体ユニットのメモリ容量を小さくできる。また、屋内及び屋外のいずれの場所においても個人情報を必要に応じて装置本体ユニットに転送することができるので、ユーザへの不便を解消できる。
【図面の簡単な説明】
【図１】この発明の実施の形態１に係る携帯電話システムの全体構成を示す概略図である。
【図２】携帯電話機の構成を示す機能ブロック図である。
【図３】電話機本体による発呼処理を説明するためのフローチャートである。
【図４】電話機本体とプライベートユニット間で実行される個人情報転送処理を説明するためのフローチャートである。
【図５】パスワードによる認証処理を追加した個人情報転送処理を説明するためのフローチャートである。
【図６】個人情報の一部を選択的に電話機本体に転送する場合の処理を説明するための信号シーケンスである。
【図７】この発明の実施の形態２に係る携帯電話機の構成を示すブロック図である。
【図８】実施の形態２に係る発呼処理を説明するためのフローチャートである。
【図９】この発明の実施の形態３に係る電話機本体における個人情報消去処理を説明するためのフローチャートである。
【図１０】この発明の実施の形態４に係る電話機本体における個人情報消去処理を説明するためのフローチャートである。
【図１１】この発明の実施の形態５に係る個人情報消去処理での電話機本体及びプライベートユニットの信号シーケンスである。
【図１２】この発明の実施の形態６に係る個人情報消去処理での電話機本体及びプライベートユニットの信号シーケンスである。
【符号の説明】
ＭＳ　携帯電話機、１０　電話機本体、１１　本体制御部、
１２　本体無線通信部、１３　近距離無線通信部、１４　加入者情報記憶部、
１５　本体メモリ部、１５ａ　個人情報記憶部、２０　プライベートユニット、
２１　ユニット制御部、２２　近距離無線通信部、２４　ユニットメモリ部、
２４ａ　個人情報登録部、３１　加入者情報記憶部
【図１】
2004056508.tif 000003
【図２】
2004056508.tif 000004
【図３】
2004056508.tif 000005
【図４】
2004056508.tif 000006
【図５】
2004056508.tif 000007
【図６】
2004056508.tif 000008
【図７】
2004056508.tif 000009
【図８】
2004056508.tif 000010
【図９】
2004056508.tif 000011
【図１０】
2004056508.tif 000012
【図１１】
2004056508.tif 000013
【図１２】
2004056508.tif 000014